(57)【要約】  本発明は、衣服（１、１’、４）に対して固定された固定部材と交換可能部材（２、２’、３）と、を備える自動噛合ジッパーである。上記固定部材は、第１結合エレメント（１、１’）と第２結合エレメント（２、２’）とを備え、上記第１結合エレメント（１、１’）は、上記第１結合エレメント（１、１’）の両側のうちの一辺で衣料（４）に堅固に結合しており、反対側の辺で上記交換可能部材に結合可能である。第２結合エレメント（２、２’）は、ジップファスナー（３）に対して長手方向に沿って平行に配置され、かつ上記ジップファスナーに固定されている。上記第１結合エレメント（１、１’）と上記第２結合エレメント（２、２’）とは、一緒に嵌合結合またはクリップ結合を形成している。
2019524167.tif 000002
【特許請求の範囲】
【請求項１】
自動噛合ジッパーであって、
衣服（１、１’、４）に対して固定された固定部材と交換可能部材（２、２’、３）と、を備え、
前記固定部材は、第１結合エレメント（１、１’）と第２結合エレメント（２、２’）とを備え、
前記第１結合エレメント（１、１’）は、
前記第１結合エレメント（１、１’）の両側のうちの一辺で衣料（４）に堅固に結合しており、
反対側の辺で前記交換可能部材に結合可能であり、
第２結合エレメント（２、２’）は、
ジップファスナー（３）に対して長手方向に沿って平行に配置され、かつ、
前記ジップファスナー（３）に固定されており、
前記第１結合エレメント（１、１’）と前記第２結合エレメント（２、２’）とは、一緒に嵌合結合またはクリップ結合を形成していることを特徴とする、自動噛合ジッパー。
【請求項２】
前記ジップファスナー（３）は、２重スライドジッパーであることを特徴とする、請求項１に記載のジッパー。
【請求項３】
前記ジッパー（３）は、前記ジッパー（３）の内部に、前記ジッパー（３）が前記衣料（４）と接触状態に入ることを防止する嵌合ガイド（６）を有することを特徴とする、請求項１または２に記載のジッパー。
【発明の詳細な説明】
【発明の詳細な説明】
【０００１】
〔発明の目的〕
本発明は、容易に使用でき、用途が広く、特に損傷したジッパーの修理、または衣料の外観の変更に役に立つ自動噛合ジッパーを目的とするジッパーに関する。本発明のジッパーによれば同じ衣料またはアクセサリーに対して種々のタイプのジッパーを混ぜて組み合わせることが可能となる。
〔背景技術〕
ジップファスナーシステムは、衣服やアクセサリーに一般的に使用されている。しかしながら、それらは、継続的に使用によって劣化しやすく、この問題を解決するためには、デバイスまたはメカニズムが必要となる。そのため、ジップファスナーが劣化してしまったときに、修理のために仕立屋に送る必要のないジッパーが提供されることが必要とされている。
〔発明の概要〕
本発明は、ジッパーの両側の嵌合結合またはクリップ結合に基づき、衣服に自動噛合する自動噛合部を備えるジップファスナーを実現することを目的とする。本発明のジップファスナーによるとジッパーそれ自体が劣化してしまったときに、簡単に取り換えることができる。より詳細には、本発明の目的のジップファスナーは、衣服に対して固定された固定部材と交換可能部材を備える。上記固定部材は、第１結合エレメントと第２結合エレメントとを備え、上記第１結合エレメントは、上記第１結合エレメントの両側のうちの一辺で衣料に堅固に結合しており、反対側の辺で上記交換可能部材に結合可能である。第２結合エレメントは、ジップファスナーに対して長手方向に沿って平行に配置され、かつ上記ジップファスナーに固定されている。上記第１結合エレメントと上記第２結合エレメントとは、一緒に嵌合結合またはクリップ結合を形成している。
【０００２】
本発明を利用することで衣料の修理中の損傷を防ぐことができる。その理由は、本ジップファスナーは、（ジッパー自体を含んだ）交換可能部材を固定部材との係合から外し、クリップ結合または嵌合結合手段で新品を結合させて取り付けるだけなので、縫い付けたり、解いたりする必要がないからである。さらに、小型のため、常時予備を携帯できる。
【０００３】
本明細書および本特許請求の範囲の全体において、「〜を備える」およびその変形は、他の技術的特徴、追加要素、構成要素、またはステップを排除することを意味しない。当業者には、本発明の別の目的、利点および特性が、本明細書から幾分かと、本発明の実施から幾分かと、明確になるものである。以下の例および図面は、例示のために提供されるものであって、本発明を制限するものではない。さらに、本発明は、本明細書で示唆された、特定の好ましい実施形態の可能な組み合わせの全てを網羅する。
〔図面の簡単な説明〕
下記は、本発明の理解を深める一助となる、一連の図面についての、特に簡略化された説明であって、本発明の非限定的な例として提示された本発明の一実施形態に明確に関連している。
【０００４】
図１は、本発明の目的のジッパーの概略正面図である。
〔発明を実施するための形態〕
本明細書に添付した図面において提供されるように、ジッパーは、衣料（４）に固定された部材を含み、該部材は、上記衣料（４）の開口部の両側に固定され、そして必然的に互いに対向している第１結合エレメント（１、１’）を含む。つまり、各第１結合エレメント（１、１’）は、上記衣料（４）の開口部における対辺に固定された一辺を有し、一方、別の一辺は、交換可能な方法で第２結合手段（２、２’）と堅固に結合可能となっている。第２結合手段（２、２’）は、ジッパーが壊れた際に交換可能な部材を、ジッパー（３）自体と一緒に形成する。これは、第２結合エレメント（２、２’）が、ジップファスナー（３）自体に対して長手方向に沿って平行に配置されており、かつ上記ジップファスナー（３）に固定されているためである。
【０００５】
ある実施形態では、互いに一体化して結合している第１結合エレメント（１、１’）と第２結合エレメント（２、２’）とは、嵌合結合またはクリップ結合を形成する。
【０００６】
したがって、上述の本発明によって、衣料の損傷につながる縫い目の破れを防ぐことが可能となり、ジッパー全体に及ぶ修理が必要でなくなる。さらには、現時点では、衣料は、解いてジッパーを縫い付け直さなければならないが、一方、本発明のデバイスを使用することで、上記作業が、交換可能部材をジッパーの固定部材との係合から外し、新品を取り付けることと同様な容易な作業になり得るため、修理費用が低減される。さらには、交換に要する時間も大幅に短くなる。
【０００７】
一方、本発明によれば、顧客の嗜好に応じて、種々のモデルのジッパーを衣料またはアクセサリーに取り付けることができる。それによって、衣料の外観を低価格で刷新することができる。
【０００８】
さらに、提案した本発明によれば、ジッパーが衣料の布地部分を噛合することは防止される。これは、ジッパー（３）がジッパー（３）の内部に（嵌合）ガイド（６）を有するからである。ガイド（６）によって、ジッパーが衣料（４）との接触状態に入ることが防止されるとともに、仮にスライダー（５）が破損した場合、ガイドの雄体を、ガイドの雌体との係合から外すことが可能である。これによって、ジッパー（３）に力を加えることなく、ジッパー（３）を衣料（４）から簡単に分離することができ、衣料（４）が広範囲に渡って裂けることを防ぐことができる。
【０００９】
本明細書内の衣料（４）という用語は、衣服を意味するだけでなく、（例えば、ハンドバッグまたは財布等の）アクセサリーおよび靴を意味し、ジップファスナーを必要または使用するあらゆる物品にわたって本発明を直接的に使用することができる。
【図面の簡単な説明】
【００１０】
【図１】本発明の目的のジッパーの概略正面図である。
【図１】
2019524167.tif 000003
【国際調査報告】
2019524167.tif 000004
2019524167.tif 000005
2019524167.tif 000006
2019524167.tif 000007